(57)【特許請求の範囲】
【請求項１】
送風機と吸込口と吹出口とを有し室内空気を室外へ排気する換気ユニットと、
送風機と吸込口と吹出口を有し室内空気を室内に循環させる循環ユニットと、
前記換気ユニットの吸込口側と前記循環ユニットの外郭面を対向させて、連結する連結手段とで構成し、
前記循環ユニットの外郭を二重構造にしてその内部に空気層を形成することで、前記換気ユニットの吸込口側端面と前記循環ユニットの外郭面との間に前記空気層を存在させ、前記換気ユニットに通じる排気風路と前記換気ユニットの循環風路と前記空気層を介して分離したことを特徴とする送風装置。
【請求項２】
請求項１に記載の送風装置にあって、前記換気ユニットに対して前記循環ユニットを前記循環ユニットの外郭面方向へスライド可能な固定手段を備えたことを特徴とする送風装置。
【請求項３】
請求項１及び２に記載の送風装置であって、天井に設けられた既設の天井用換気扇取付用の開口に前記循環ユニットを固定するための本体固定手段を設けたことを特徴とする送風装置。
【請求項４】
請求項３に記載の送風装置であって、前記換気ユニットの吹出口に連通してダクト配管を接続するためのダクト接続枠を前記本体固定手段に連結したことを特徴とする送風装置。
【請求項５】
前記本体固定手段の天井面取付け部分を前記外殻面より凸設したことを特徴とする請求項３に記載の送風装置。
【請求項６】
前記循環ユニットを天井に固定する前記本体固定手段に、仮固定手段を設けたことを特徴とする請求項３に記載の送風装置。
【請求項７】
前記循環ユニット内の風路に送風機より風下側に空気を加熱する加熱手段を設けたことを特徴とする請求項１から６の何れかに記載の送風装置。
【請求項８】
前記循環ユニット内に形成された風路の外側を覆い二重構造でその内部に空気層を形成した外郭構造を有することを特徴とする請求項１から７の何れかに記載の送風装置。
【発明の詳細な説明】
【０００１】
【発明の属する技術分野】
本発明は、主として浴室や洗面所などの室内を乾燥雰囲気にするための送風装置に関するものである。
【０００２】
【従来の技術】
ユニットバス等の普及とともに浴室や洗面所等の多機能化が進んでいる。そのような中で、例えば特開昭６３―７７４９８号公報に示されているように、浴室の快適性の向上を図るとともに、浴室を乾燥雰囲気にして衣類等の乾燥室としても利用できるようにする浴室用乾燥暖房機が知られている。この製品の略図を図９に示す。
【０００３】
この浴室用乾燥暖房機は、室内の空気を排気して換気を行う換気用の送風機１０１と、室内の空気を循環しながら加熱手段１０２によって昇温させる循環用の送風機１０３とを備え、浴室等の天井１０４に装着されている。室内の空気はダクト１０５を介して室外へ排気される。また、通常のダクトを介して室外へ排気する天井取付用換気扇の多くは樹脂製ダクトを使用しているが、特開昭６３―７７４９８号公報に示される浴室用乾燥暖房機は法規制によりダクト１０５は不燃材を使用しなければならない。
【０００４】
このような状況で既設の天井取付用換気扇から浴室用乾燥暖房機に取り替える場合、ダクト配管の取り替え工事が必要になり工事が大掛かりになり変更しにくいものであった。
また、既設の天井取付用換気扇をそのまま利用して温風循環装置を天井に取付け浴室を乾燥室にして衣類を乾燥したり、暖房して使用する方法として特開２０００―１６７２９７号の温風循環装置が知られている。この装置は既設の天井取付用換気扇の吸込口が温風循環装置の吸込口と連通しているため防災上、防火ダンパーが必要になる。
【０００５】
【発明が解決しようとする課題】
以上説明した従来の天井取付用換気扇のダクトは樹脂性を使用しているので、浴室用乾燥暖房機に取り替える場合、ダクト配管の取り替え工事が必要になり工事が大掛かりになり、設備しにくい課題があった。
【０００６】
また、従来の特開昭６３−７７４９８号公報に示されている浴室衣類乾燥暖房換気装置は換気機能と温風生成機能を一つの本体内にその機能が集約されて、換気と循環温風生成のための空気の吸込みは同じパネルから行われるため、暖められた空気はダクトを介して室外へ排出される懸念があり、法規制によりダクトは不燃材のものを使用しなければならず、既設の天井取付用換気扇と同様に工事が大掛かりになる課題がある。
【０００７】
また、この装置は一連の風路構造と外郭構造が同一であるが、法規上で規定された外郭温度の上限値を厳守するためには、加熱手段の入力を制限して温度過昇防止装置の設定温度を低く設定する必要があり、衣類乾燥運転中に温度過昇防止装置が頻繁に作動し加熱手段の入力を制限するため、衣類乾燥に要する時間が長くなる課題がある。
また、特開２０００―１６７２９７号の温風循環装置は既設の天井取付用換気扇の吸込口が温風循環装置の吸込口と連通しているため防災上、防火ダンパーが必要になり構造が複雑になるとともに風路圧損が大きくなる課題があった。この装置の送風の形成は、既設のダクト取り付け位置や装置の取り付け位置により、温風送風方向が変わるため、乾燥させる衣類に効率良く温風が当たらず、衣類乾燥の効率が低い場合がある等、乾燥効率の差が大きくなるなどの課題があった。
【０００８】
本発明は、このような課題を解決するためになされたもので、既設のダクトをそのまま使用し、大掛かりな工事をせず手軽に浴室等を乾燥雰囲気や暖房雰囲気にできる天井取付けの可能な送風装置を得ることを目的とするものである。
【０００９】
【課題を解決するための手段】
本発明は、送風機と吸込口と吹出口とを有し室内空気を室外へ排気する換気ユニットと、送風機と吸込口と吹出口を有し室内空気を室内に循環させる循環ユニットと、前記換気ユニットの吸込口側と前記循環ユニットの外郭面を対向させて、連結する連結手段とで構成し、前記換気ユニットの吸込口側端面と前記循環ユニットの外郭面との間に空間を設けて前記換気ユニットに通じる風路を構成した送風装置である。
【００１０】
また、前記換気ユニットに対して前記循環ユニットを横方向へスライド可能な固定手段を備えた送風装置である。
【００１１】
また、天井に設けられた既設の天井用換気扇取付用の開口に前記循環ユニットを固定するための本体固定手段を設けた送風装置である。
【００１２】
また、前記換気ユニットの吹出口に連通してダクト配管を接続するためのダクト接続枠を前記本体固定手段に連結した送風装置である。
【００１３】
また、前記本体固定手段の天井面取付け部分を周囲より凸設した送風装置である。
【００１４】
また、前記循環ユニットを天井に固定する前記本体固定手段に、仮固定手段を設けた送風装置である。
【００１５】
また、循環ユニット内の風路に送風機より風下側に空気を加熱する加熱手段を設けた送風装置である。
【００１６】
また、前記本体内に形成された風路の外側を覆い空気層を形成した外郭構造を有する送風装置である。
【００１７】
また、パネルの取り付け方向を可変可能とした送風装置である。
【００１８】
また、本体の下面に吸込口と吹出口の二つの開口を有する風路を構成し、この風路に送風機を設け、前記本体を天井に取り付けた時、前記本体の天井面側と天井面との間に空間を構成するように、前記本体の天井面側に天井に固定するための固定手段を設けた循環ユニットである。
【００１９】
また、循環ユニット内の風路に送風機より風下側に空気を加熱する加熱手段を設けた循環ユニットである。
【００２０】
また、前記本体内に形成された風路の外側を覆い空気層を形成した外郭構造を有する循環ユニットである。
【００２１】
また、パネルの取り付け方向を可変可能とした循環ユニットである。
【００２２】
【発明の実施の形態】
実施の形態１．
本実施の形態は、主として浴室や洗面所などの天井面に取付け、室内を換気、乾燥、暖房する送風装置に関するものであり、図１〜８図を用いて説明する。
図において、本送風装置１は室内の空気を吸込み室外へ排気する換気装置としての換気ユニット２と、室内の空気を加温しながら循環する温風循環送風装置としての循環ユニット３と、循環ユニット３を天井６に固定する本体固定枠４と、換気ユニット２からの排気を屋外へ導くダクトを換気ユニット本体８と連結接続するダクト接続枠５から構成されている。
【００２３】
換気ユニット２は、浴室等の天井６に設けられた既設の天井取付用換気扇の取付け用の開口７に取付ける金属性の換気ユニット本体８と、その換気ユニット本体８内に設けられて室内９から室外１０への排気を行なう送風機１１と、送風装置１としての運転を制御する回路基板１２とから構成される。
回路基板１２は回路取付板１３にて換気ユニット本体８の側面に固定される。
換気ユニット本体８の室内側（本体下側）には室内空気を吸込むための開口１４を有し、この開口１４には天井に取付固定するための外側に張り出した角形のフランジ１５が形成されている。
【００２４】
フランジ１５の一辺１６には循環ユニット３から導出されたシーズヒーター１７の端部が挿通できる穴１８と循環ユニット２からの電気配線の引き込みができる穴（又は溝）１９が設けられ、一辺１６側の換気ユニット本体８の外側に基板取付ケース２０を介して回路取付板１３が換気ユニット本体８の側面に設けられている。
【００２５】
また、フランジ周縁部１５aの角部には下側方向に断面Ｌ形状の取付足２１が溶接固定され、固定ネジ２２を介して循環ユニット３の上面３ａと連結されている。取付足２１の長さ（高さ）は循環ユニット３上面３ａと、天井６との間に換気ユニット２の開口１４に連通する風路２３を形成する長さ（高さ）を有している。取付足２１の取付面２１ａには固定ネジ２２を締め付けるための締付け穴２１ｂが設けれれている。締付け穴２１ｂは長穴で締付け位置が調整変更できる様になっている。
【００２６】
循環ユニット３は、耐熱（例えば金属製）の箱体２５、３２、パネル２６により外郭を構成しており、箱体２５に循環用の送風機２７と加熱手段としてのシーズヒータ１７とで構成されている。シーズヒータ１７はこの循環用の送風機２７より下流側の風路３０に送風機２７の周囲を一周するように取付けられている。
シーズヒータ１７で空気を暖め循環することにより、室内は暖房され、また、乾燥が出来るので快適な室内空間が得られる。
【００２７】
箱体２５、３５とにより前面の開口３１側には全周にわたって開口２９が臨む風路３０が構成されていて、この風路３０の上流側の開口３１に下流側の開口２９に向う気流を形成する送風機２７が設けられている。循環用の送風機２７から送られる風は、開口２９の一部を塞ぎ板２８で図に示すように塞ぐことにより開口２９から吹出される必要な風速を確保する構造となっている。
【００２８】
箱体２５の背面側は箱体３２により覆われ外郭を形成している。循環ユニットの本体内に形成された風路の外側を箱体３２により覆い箱体２５との間に空気層を形成したので、風路に熱源を設けて空気の温度を上げても、前記空気層により風路の熱が断熱されて循環ユニットの外側が高温にならなず法規を満足する構造となっている。
箱体３２の背面側には換気ユニット２の取付足２１を固定するネジ穴を有しており、取付け足２１を固定した時、天井６と循環ユニット３の上面３ａとの間に風路２３が構成される構造となっている。
【００２９】
箱体２５及び３２の背面側上部２５ａには本体固定枠４と結合するための固定穴２５ｂと、本体固定枠４に設けられた仮固定部３３が貫通する角穴２５ｃがそれぞれ設けられている。箱体３２の側面には図に示すような角穴３２ａとネジ穴３２ｂが４側面各々に形成されている。
パネル２６は箱体２５，３２，３５の前面及び側面を覆うもので、送風機２７に対向する中央部分に室内空気吸込みのための開口２６ｂを有し、開口２６ｂの両側には風路３０の開口２９に対向して空気を吹出す吹出口２６ａが設けられている。中央の開口２６ｂは指の入らない小穴の集合で構成され、吹出口２６ａは長方形の長穴で構成してある。
【００３０】
パネル２６は取付け方向を９０度単位で自在に選択変更しても、角穴３２ａ、ネジ穴３２ｂは一致するので風の吹出し方向を自由に変更できる。パネル２６の側面にも前記角穴３２ａ、ネジ穴３２ｂに一致する一に角穴２６ｃ、ネジ穴２６ｄが設けられている。
パネル２６の内側には固定バネ３４が設けられており、固定バネ３４の屈曲成形された凸部の部分が角穴２６ｃ、に差し込まれてパネル２６を箱体３２に取付けた時、固定バネが箱体の角穴３２ａに入り込み保持される。この状態でネジ穴２６ｄ、３２ｂに固定ネジ３５を締付けることによりパネル２６を循環ユニット３に固定できる。
なお、パネル２６の形状を円形状にして中の箱体２５，３２も円形状にして角穴２６ｃ，３２ａ及びネジ穴２６ｄ，３２ｂを多くすれば、それに応じて取り付け方向の選択が多くなるので、より設置場所に適した風の吹出し方向が選択できる。
【００３１】
本体固定枠４は図４に示すように、換気ユニット２の換気ユニット本体８と回路取付板１３とが挿通可能な開口部３６を有し、開口部３６の周辺は一定の幅を有して凸設された天井への取付面３７となっている。天井への取付面３７の凸設された高さは天井板６ａの厚みより高い寸法になっている。取付面３７には間隔をおいて天井に固定するための長穴３８が設けられ、この長穴３８に取付ネジ３９を通して締め付け本体固定枠４を天井の野縁４０に固定する。
【００３２】
本体固定枠４の周縁角部には下側方向にＬ形に折り曲げられた循環ユニット３に固定する為の固定足４１が設けられ、固定足４１のＬ形の平面部４１ａにはネジ穴４１ｂが設けられている。平面部４１ａが循環ユニット３の上面３ａ（箱体３２）に当接し固定ネジ４２により箱体３２，２５に連結固定される。
【００３３】
また、この固定足４１の端部には循環ユニット３の箱体３２，２５の角穴２５ｃに挿通される仮固定部３３が設けられている。
仮固定部３３は本体固定枠４を天井の野縁４０に固定した後、循環ユニット３を取付ける時、循環ユニット３の箱体３２，２５に挿通された状態で、仮固定部３３に設けられた差込穴３３ａに仮固定ピン４３を差し込むことにより仮固定部３３の抜け止めとなり、循環ユニット３が仮固定されるので取付け作業が容易にできる。
【００３４】
換気ユニット２と循環ユニット３と本体固定枠４との取付関係は、換気ユニット２が取付足２１を介して循環ユニット３の上面３ａと連結固定されている。本体固定枠４は換気ユニット２のフランジ周縁部１５ａを覆うように循環ユニット３の上面３ａにネジで固定される。
【００３５】
送風装置１として天井に設置する場合、初めに本体固定枠４を天井６（又は野縁４０）に取付面３７を密着するように取付ネジ３９を長穴３８に締め付け固定する。次にダクト接続枠５を取り付けフランジ５３のネジ穴５４に固定ネジ５５を締付け固定しダクトを接続する。次に換気ユニット２と循環ユニット３が連結された状態で換気ユニット２の換気ユニット本体８の部分を本体固定枠４の開口部３６に挿通しながらダクト接続枠５に換気ユニット本体８の先端を勘合させ密着させる。この時循環ユニット３のパネル２６は前もって外しておく。
【００３６】
次に本体固定枠４の仮固定部３３を循環ユニット２の箱体２５，３２に設けられた角穴２５ｃに挿入し、仮固定部３３の差込穴３３ａに仮固定ピン４３を差込仮固定する。この状態で箱体２５，３２の固定部２５ａ，３２ａに設けられた固定穴２５ｂ，３２ｂに固定ネジ４２を通し本体固定枠４の固定足４１のネジ穴４１ａに締め付けて完全固定する。
【００３７】
固定ネジ４２を全て締め付け後、仮固定ピン４３を外しパネル２６を取付けて設置が完了する。なお、パネル２６を取付ける時、循環風の吹出し方向に合わせて吹出口２６ａの位置決めをする。また、吹出口２６に対向しない風路３０の開口部２９には塞ぎ板２８を取付け、風路３０の風が吹出口２６ａに集中して吹出されるようにすることで効率の良い吹出し風路が形成される。
【００３８】
また、既設の天井取付用換気扇の取付フランジが図８のように野縁４０にあって天井板６ａより凹んでいる場合でも、本体固定枠４の天井取付面３７が凸設して１５ｍｍ程度の段差形状を形成し、天井板６ａの厚みより高くしてあるので取付ができる。
【００３９】
ダクト接続枠５は図８に示すように換気ユニット本体８に係脱可能な取付枠５１とダクト配管をテーピングするダクトフランジ５２とから構成され、取付枠５１とダクトフランジ５２はカシメ結合されている。
取付枠５１の下部には外方向に曲げられた取付フランジ５３が形成され、この取付フランジ５３には本体固定枠４とネジ固定するためのネジ穴５４があり、固定ネジ５５により本体固定枠４に締め付け連結されている。
【００４０】
ダクト接続枠５は換気ユニット２の換気ユニット本体８への装着はスライドさせて装着できる。本体固定枠４とダクト接続枠５が固定ネジ５５で連結されているため、本体固定枠４を外した時ダクト接続枠５が天井開口７に引っ掛かり換気ユニット２の落下を防止することができる。
【００４１】
本体固定枠４の天井に取付けるための長穴３８は取付場所が壁に近い位置であったり、天井面の側方に照明器具等の障害物が有る場合、長穴の範囲内で横方向にスライドさせることにより送風装置１が障害物と干渉することを回避できる。
【００４２】
また、同様に循環ユニット３を換気ユニット２へ取付ける場合、取付場所が壁に近い位置であったり、天井面の側方に照明器具等の障害物が有る場合、換気ユニット本体８に設けられた取付け足２１の締付穴３９を長穴にしてあるので循環ユニット３の係合位置を長穴の範囲内で横方向にスライドさせることにより、障害物との干渉を回避できる。
このように本体固定枠４の長穴３８でも換気ユニット本体８の取付け足２１でも両方で横方向の位置調整が出来るので設置場所での状況に対応がし易い。
【００４３】
送風装置１の運転は次のように行なわれる。まず、設置空間を乾燥雰囲気にする場合は、換気ユニット２の送風機１１及び循環ユニット３の送風機２７並びにシーズヒータ１７を起動させる。
循環ユニット３はパネル２６の開口２６ｂより室内空気を吸込み箱体２５と３５の間の風路３０を通って、箱体の開口２９よりパネルの吹出口２６ａより室内に吹出される。この時、空気はシーズヒータ１７によって加熱され温風となって循環し、空間の気温を上昇させ、水分の蒸発を促進し乾燥が行われる。
【００４４】
一方、換気ユニット２は室内空気を天井６と循環ユニット３との間に形成された風路２３から吸込み接続されたダクトを通って室外へ排気される。この時、湿気も排出されるので室内の湿度が下がり乾燥雰囲気になる。このように乾燥は循環ユニット３と換気ユニットを併用して行なう事が出来、乾燥能力が高く短時間での乾燥が出来る。
【００４５】
もちろん換気ユニット２と循環ユニット３を単独で運転して乾燥することも出来、気象条件など環境に応じた使い分けが出来る。また、循環ユニット３の室内空気の吸込みも吹出しも、ともに前面（下面）において行われるので、壁近くに設置されても吸込み性能が低下することがなく、設置場所の制約が少ない。
また、循環ユニット３のみを運転することにより室内を暖房することができ、暖房装置としても使用でき、換気ユニット２のみを運転すれば、室内の空気を排気する換気として使用できる。
【００４６】
このように本送風装置は、換気ユニットと循環ユニットを有しており、既設天井取付用換気扇の天井の開口およびダクト配管を使用して設置できる。もちろん新設の住宅でも容易に設備することができ、換気のほかに乾燥や暖房の機能を付加することが出来る。
また、循環ユニット３と換気ユニット２を組み合わせた構成とすることで、施工性が良く設置取付けがし易い。
【００４７】
また、凸設した取付面３７を有する本体固定枠４を使用することにより、既設の天井取付用換気扇のフランジ１５が天井板６ａに取付ける場合でも野縁４０に取付ける場合でも循環ユニット３を天井に取付けることができる。
【００４８】
実施の形態２．
本形態は既設の天井取付用換気扇をそのまま使用して、実施の形態１の循環ユニット３部分を取付けて使用する場合を説明する。
既設の天井取付用換気扇をそのまま使用して、その下側に循環ユニット３を天井板６ａとの間に風路２３を確保して本体固定枠４により単独で天井に取付けることにより、既設の換気機能に乾燥、暖房の機能を付加することが出来る。
【００４９】
例えば、浴室の天井に既設の換気設備が設けられ換気が有効に機能している場合、既設の換気設備の下に循環ユニット３を取付けることにより、換気機能を保持しつつ浴室に乾燥及び暖房を行うことができるようになり、浴室が乾燥性能の良い乾燥室となり衣類を早く乾かすことができる。
【００５０】
また、冬場暖房することにより温かい浴室として快適な入浴が出来る。このように循環ユニット３を取付け、換気設備との併用により室内を乾燥換気雰囲気にしたり、暖房雰囲気にしたりできる送風装置となる。
【００５１】
【発明の効果】
本発明によれば、換気ユニットと循環ユニットを組み合せ、換気ユニットと循環ユニットの間に換気ユニットへ吸込む風路を設けたので、風路が完全に分離することが出来、既設の天井取付換気扇の取付用開口を利用して取付が出来るので、浴室等の空間を換気の他に乾燥や暖房雰囲気にすることが容易にできる送風装置が得られる効果がある。
【００５２】
また、換気ユニットと循環ユニットをスライド可能に連結したので設置場所に応じて取付位置の調整が出来るので施工し易い送風装置が得られる効果がある。
【００５３】
また、天井に循環ユニットを固定できる本体固定手段を設けたので天井への取付が容易に出来る効果がある。
【００５４】
また、前記固定手段にダクト接続枠を連結したことにより、本体固定手段を天井から外した時の循環ユニットをダクト接続枠とダクトで支えることが出来る効果がある。
【００５５】
また、本体固定手段の天井取付面を周囲より凸設させたので、取付面が天井面より凹んでいる場合でも送風装置を確実に取付け固定が出来る効果がある。
【００５６】
また、前記固定手段に仮固定手段を設けたので循環ユニットの天井での取付作業が容易に出来る効果がある。
【００５７】
また、循環ユニットに加熱手段を設けたので室内の暖房や昇温ができる効果がある。
【００５８】
また、循環ユニットの本体内に形成された風路の外側を覆い空気層を形成した外郭構造としたので、風路に熱源を設けて空気の温度を上げても、前記空気層により風路の熱が断熱されて循環ユニットの外側が高温にならないので、特別な断熱処理をしなくても法規を満足する送風装置を提供できる効果がある。
【００５９】
また、循環ユニットの化粧パネルの取り付け方向を可変可能としたので設置位置の応じて風の吹出し方向を自由に変更できる送風装置を提供できる効果がある。
【００６０】
また、循環ユニットに天井面と循環ユニットの外郭との間に空間を有するように固定手段を設けたので、既設の天井取付換気扇の下に取付が出来、既設の換気扇をそのまま利用して簡単な工事で循環機能を追加できる出来る効果がある。
【００６１】
また、循環ユニットの本体内に形成された風路の外側を覆い空気層を形成した外郭構造としたので、風路に熱源を設けて空気の温度を上げても、前記空気層により風路の熱が断熱されて循環ユニットの外側が高温にならないので、特別な断熱処理をしなくても法規を満足する循環ユニットを提供できる効果がある。
【００６２】
また、循環ユニットに加熱手段を設けたので室内の暖房や昇温ができる循環ユニットを提供できる効果がある。
【００６３】
また、循環ユニットの化粧パネルの取り付け方向を可変可能としたので設置位置の応じて風の吹出し方向を自由に変更できる循環ユニットを提供できる効果がある。
【図面の簡単な説明】
【図１】  本発明の送風装置を示す断面図である。
【図２】  本発明の送風装置を示す図１の側面断面図である。
【図３】  本発明の送風装置のパネル面から見た図である。
【図４】  本発明の送風装置に使用する本体固定枠の斜視図である。
【図５】  本発明の送風装置の上から見た図である。
【図６】  本発明の送風装置の要部を示す断面図である。
【図７】  本発明の送風装置の要部を示す断面図である。
【図８】  本発明のダクト接続枠の取付状態を示す図である。
【図９】  従来の浴室衣類乾燥暖房換気装置を示す図である。
【符号の説明】
１  送風装置、  ２  換気ユニット、  ３  循環ユニット、  ４  本体固定枠、  ５  ダクト接続枠、  ７  開口、  １７  シーズヒータ、  ２１  取付足、２３  風路、  ２５  箱体、  ２６  パネル、  ２８  塞ぎ板、  ３２  箱体、  ３３  仮固定部、  ３７  取付面。
【図１】
0004610809.tif 000002
【図２】
0004610809.tif 000003
【図３】
0004610809.tif 000004
【図４】
0004610809.tif 000005
【図５】
0004610809.tif 000006
【図６】
0004610809.tif 000007
【図７】
0004610809.tif 000008
【図８】
0004610809.tif 000009
【図９】
0004610809.tif 000010